(57)【特許請求の範囲】
【請求項１】
先端に作業部を具える一対のアームの基端部を開閉自在に連結するとともに前記一対のアームを開方向に付勢する付勢手段を有する汚物回収具において、
前記一対のアームのそれぞれに、
作業部に脱着自在に装着される小袋体を具え、
該小袋体を作業部に装着した状態を保持する保持手段を設けるとともに、
押出部材をアームの長手方向に沿って褶動自在に取り付け、該押出部材が先端側に褶動したときに前記作業部に装着された前記小袋体を押出して離脱させることを特徴とする汚物回収具。
【請求項２】
アームの内部に長手方向に沿う収納空間を設け、該収納空間に押出し部材を褶動自在に収納することを特徴とする請求項１記載の汚物回収具。
【発明の詳細な説明】
【技術分野】
【０００１】
本発明は汚物を回収処理するための器具に関し、特に、散歩させているときに犬が路上に排泄する糞便を回収するための器具に関する。
【背景技術】
【０００２】
散歩中に生じる犬の排泄物を回収するための器具としては既に種々のものが提案されている。これらの器具では回収作業の際に付着する汚れをいかにして回避するかということも重要な課題の一つとなっている。ところが従来案件の多くは、この課題の解決手段として、器具全体を事前にビニール袋等で覆っておく（特許文献１）か、あるいはこれに加えてビニール袋の保持手段としてクリップを設ける（特許文献２）という方法をとっているのみであった。
【先行技術文献】
【特許文献】
【０００３】
【特許文献１】特開２００３−３８０５８号公報
【特許文献２】特開２００１−３５２８５４号公報
【発明の概要】
【発明が解決しようとする課題】
【０００４】
しかしながら、前記特許文献１・２のように先端を開閉させる形態を有する器具では、開閉部分を一枚のビニール袋で覆ってしまうと排泄物が非常に取り込み難くなり作業性が大きく低下する。また多くの場合は余裕を持たせて器具よりも大きめのサイズの袋を使用するために、袋の余った部分が作業中に垂れ下って排泄物と接触し、袋をはずそうとしたときに誤ってその箇所に触れて手を汚すおそれがあった。
【０００５】
本発明はこのような従来の汚物回収具の問題点を解消すべくなされたもので、その目的は、器具や手を汚すことなく迅速かつ簡単に作業をおこなうことのできる汚物回収具を提供することにある。
【課題を解決するための手段】
【０００６】
先端に作業部を具える一対のアームの基端部を開閉自在に連結するとともに前記一対のアームを開方向に付勢する付勢手段を有する汚物回収具において、前記一対のアームのそれぞれに、作業部に脱着自在に装着される小袋体を具え、該小袋体を作業部に装着した状態を保持する保持手段を設けるとともに、押出部材をアームの長手方向に沿って褶動自在に取り付け、該押出部材が先端側に褶動したときに前記作業部に装着された前記小袋体を押出して離脱させることを大きな特徴としている。
【０００７】
すなわち本発明の汚物回収具は、開閉自在な一対のアームの先端に設けられた作業部にそれぞれ小袋体を装着しておいて汚物の回収作業をおこない、作業後に押出し部材を前方に褶動させることによって装着されていた小袋体を押し出して離脱させるものである。回収作業の最中、アームの先端作業部は小袋体によってしっかりと保護され、排泄物を掴んだり、掬いあげたりしても汚れることはない。
【０００８】
好ましくは、アームの内部に長手方向に沿う収納空間を設け、そこに押出し部材を褶動自在に収納する。
【０００９】
そうすることによって押出し部材を支持するための支持部材が省略でき、構造が簡単になるとともに嵩張もなくなるので持ち運びや保管が容易になるという利点が生じる。
【００１０】
なお、便宜上、ここではアームの作業部を具える側を先端あるいは前方、他端側を基端側あるいは後部として説明する。また、作業部とは実際に排泄物を掴みとるか掬いとるかの作業をおこなう部分とここでは定義する。
【発明の効果】
【００１１】
本発明によれば、一対の開閉するアームの作業部それぞれを個別に小袋体で覆っているので汚物を挟みやすく、迅速かつ簡単に回収作業をおこなうことができる。また汚れた小袋体は押出し部材によって押し出すので器具や手を汚すことがない。
【図面の簡単な説明】
【００１２】
【図１】本発明の第１実施例にかかる汚物回収具の開いた状態を示す斜視図である。
【図２】本発明の第１実施例にかかる汚物回収具に装着していた小袋体を押し出した状態を示す斜視図である。
【図３】本発明の第１実施例にかかる汚物回収具の一部切り欠き分解斜視図である。
【図４】本発明の第２実施例にかかる汚物回収具の開いた状態を示す斜視図である。
【図５】図４のＡ−Ａ線端面図である。
【図６】本発明の第３実施例にかかる汚物回収具の開いた状態を示す斜視図である。
【図７】本発明の第３実施例にかかる汚物回収具の要部拡大平面図である。
【図８】図７のＢ−Ｂ線断面図である。
【発明を実施するための形態】
【００１３】
以下、本発明にかかる汚物回収具の実施例を図に基づいて説明するが、これに限定されるものではない。
【実施例１】
【００１４】
図１ない図３は本発明にかかる汚物回収具の実施例１を示している。図において汚物回収具は、一対のアーム１・１、軸２、板バネ３、押出し部材４・４、スライダ５・５、小袋体６・６で構成されている。
【００１５】
このうちアーム１は、アルミや鉄など金属製の薄板からなり、その中央胴部は長手方向に沿い内側に向かって緩やかに湾曲する背板１１、該背板１１の両端縁から内側に向かってそれぞれ立設する側板１２・１２、該側板１２・１２の端縁からお互いが接近する方向に向かって延出し当接する腹板１３・１３とで構成され、内部に押出し部材４を収納するための収納空間が形成されている。腹板１３・１３の後部は当接する端縁が切り開かれて褶動溝１４が形成され、背板１１の外面後方よりには幅方向にわたる二条のストッパ用凸条１１ａ・１１ａが形成されている。
【００１６】
次にアーム１の後部は、前記側板１２・１２がそのまま延出して支持板１５・１５を形成し、該支持板１５・１５の略中央部には軸孔１５ａ・１５ａが穿設されている。ここには、対向するもう一方のアーム１側の支持板１５・１５が重ねられ、双方の軸孔１５ａ・１５ａを挿通する軸２によって開閉自在に軸支されるとともに内側に具える断面視でＵ字形状をした板バネ３によって常に開方向に付勢されている。
【００１７】
またアーム１の先端には背板１１のみで構成される作業部１ａが形成されており、この先端部１ａの中央の一部は切り起こされて前方に略Ｌ字形状に曲げられ、小袋体６を装着状態に保持するための保持手段８となるクリップ８１を形成している。このクリップ８１は弾性復元力によって小袋体６を抑えつけ、外れないように保持するためのものである。なお、ここでは弾性復元力によって保持力を得るものとしているが、例えば別途バネ部材を取り付けたものであってもよい。
【００１８】
押出し部材４は、合成樹脂材からなり、胴部４１は前記アーム１の収納空間内をガタつきなく前後に褶動できる適宜な厚みと幅とを有する長尺厚板形状に形成され、小袋体６に差し込まれる先端の差込み部４２は差し込みや抜き取りが容易なように短冊状に薄く形成されている。また、押出し部材４の後部内面には、アーム１の腹板１３・１３に形成された褶動溝１４に嵌合して褶動自在な突起４ａが凸設されている。
【００１９】
スライダ５は前記押出し部材４を前方に誘導して小袋体６を押し出すためのもので、合成樹脂材からなる断面視略角筒状をしており、アーム１の外周に長手方向に沿って褶動自在に嵌め込まれている。また内面には嵌合孔５ａが設けられており、ここに押出し部材４側の突起４ａが嵌め込まれることによって両者が一体となって動くことができるようになっている。
【００２０】
小袋体６は、アーム１の作業部１ａに装着することによって排泄物回収作業の際に汚れが付着するのを防ぐためのもので、一辺に開口部６９を設けた矩形袋状をしている。これはビニールやポリエチレンなどの薄膜合成樹脂材からなるものであっても構わないが、焼却処理等の環境衛生面を考慮すれば防水処理を施した紙製であることが望ましく、加えてその紙材が再生紙であればより望ましい。なお紙質をやや厚手でコシのあるものにしておき、周縁糊代部分を幅広にとることによって、該糊代部を利用して排泄物を回収したあと路上に付着した汚れを拭って簡単な清掃することもできる。また、開口縁は表裏同一位置である必要はなく、例えば高さをずらすか角度を変化させるかによって作業部１ａの先端縁を差し込みやすくしたものであってもよい。
【００２１】
次に使用方法について説明する。
【００２２】
この汚物回収具は、犬と散歩する際に生じる排泄物を挟持回収して処理するために携帯するものであって、出かける前の準備としてあらかじめアーム１・１の作業部１ａ・１ａそれぞれに小袋体６・６を装着し、クリップ８１によって外れないようにした状態でバッグ等に入れる。帯同するものは回収した排泄物を収容できる大きめの収容袋、例えばレジ袋や紙袋などである。さらには予備としてもう一組の小袋体６・６を用意しておいてもよい。
【００２３】
散歩の最中に犬が排便したとき、バッグからこの汚物回収具と収容袋とを取り出し、まず、収容袋の開口部を開いた状態で近くに配置しておく。次に汚物回収具を用い、アーム１・１を開閉操作しながら速やかに路上に残された排泄物を挟み取って前記収容袋に入れる。このとき、アーム１・１の作業部１ａ・１ａはそれぞれが単体で小袋体６・６によってカバーされているので器具全体を一枚のビニール袋で覆った場合に比して開閉操作がしやすく、挟み込みも確実にできる。また、排泄物が付着することに気遣う必要もないので効率的に作業をおこなうことができる。
【００２４】
回収作業が終わったら収容袋の開口部上方でスライダ５を操作して糞便で汚れた小袋体６を押し出し、収容袋内に落下させる。なお、このとき、アーム１・１は閉じておくか平行状態にしておけば一度に両方のスライダ５・５を掴んでスライドできるので効率がよい。押し出したスライダ５・５は引き戻したときにアーム１の背板１１に形成したストッパ用の凸条１１ａ・１１ａに当接することにより所定の位置で停止する。
【００２５】
作業終了後は収容袋の開口部を閉じるなり捻るなりして匂いを遮断しておいてからバッグにおさめ、散歩を続ける。汚物の入った収容袋は帰宅後に自宅のゴミ容器内に廃棄処分する。
【００２６】
ちなみに、この汚物回収具を商品として販売するにあたっては、回収具本体と小袋体数十枚をセットにしたものとを組み合わせた商品を第一販売形態とし、別途に小袋体数十枚セット品を補充用として継続的に販売することが望ましく、また合理的でもある。
【実施例２】
【００２７】
図４および図５は本発明の実施例２を示している。なお、煩雑さを避けるため第１実施例と共通する部分は符号を同一のものとして説明を省略している。
【００２８】
本例では汚物回収具のアーム１・１の胴部は幅狭で厚みのある角棒形状をなし、先端の作業部１ｂのみが幅広な板形状に形成されている。
【００２９】
そして、このアーム１・１に褶動自在に嵌合するスライダ５１ｂ・５２ｂは、下面中央が長さ方向に切り欠かれるとともにその両端縁に押出し部材４側に凸設する突起４ｂが嵌合するための切欠５ｂ・５ｂが設けられ、後端は延出してグリップとしての役割を果たすようになっている。  
【００３０】
さらに、スライダ５１ｂ・５２ｂにはアーム１・１を閉じた状態に保持し保管しやすくするためのロック手段９として、５１ｂ側にそれぞれに係合孔９１を有する一対の係合壁９２・９２が設けられ、５２ｂ側のこれに対応する位置に係合爪９３・９３および該係合爪９３・９３の腕部から外方向に向かって突出する解除ボタン９４・９４が設けられている。
【００３１】
アーム１・１が閉じられた状態のとき、係合孔９１と係合爪９３とは図５に想像線で示すように少し離れた位置にある（実線で示す図はアーム１・１が開かれた状態のときのものである）。これを係合させロック状態にするには閉じた状態の位置で両スライダ５１ｂ・５２ｂをお互いが接近する方向に押さえ込むだけでよい。それにより、最初は係合爪９３と係合壁９２とが当接し、更に押さえ込むことで両者が弾性変形し係合爪９３が係合壁９２を乗り越えて係合孔９１と係合し、ロック状態となる。
【００３２】
前記操作によって汚物回収具がロック状態になると、バッグ等へ収納した時も嵩張ることなく取り扱いが簡単になる。
【００３３】
また、ロック状態のままでスライダ５１ｂ・５２ｂを押し出すこともでき、これだといずれか一方のスライダのみを操作すれば良いので小袋体６の廃棄作業がより簡単になるという利点もある。
【００３４】
ロック状態を解除するには、スライダ５２ｂ側に設けられている解除ボタン９４・９４を内側に向かって押し込むだけでよい。そうすると係合爪９３・９３の腕部も内側に押されることになり、腕部が弾性変形して係合爪９３が係合孔９１から外れるとともに内側に撓んでいたアーム１・１が元の状態に戻って両スライダ５１ｂ・５２ｂが離間し、ロック状態が解除されることになる。
【００３５】
なお、ロック手段９としてここでは係合爪と係合孔との組み合わせを用いたが、これに限らず、例えば係合爪同士の組み合わせであってもよい。
【実施例３】
【００３６】
図６ないし図８は本発明の実施例３を示している。実施例１・２に示す汚物回収具では対向する作業面を平行に形成しており、主として排泄物の挟持が目的であるのに対し、本実施例の汚物回収具は排泄物を掬いあげて処理することを目的としている。以下、図に基づいて説明するが、符号は実施例２と同様に共通する箇所を同一のものとしている。
【００３７】
本実施例の汚物回収具は、アーム１・１の作業部１ｃ・１ｃが図８の端面図で示すように全体正面視で上方に拡開する逆ハ字形状に形成されており、それぞれは更に長手方向に沿って幅方向中央から外側が上向きに屈曲する逆へ字形状に形成されている。
【００３８】
これを図７および図８に基づいて詳しく説明すると、作業部１ｃの幅方向中央にある屈曲線には線方向に沿ってスリット１２ｃが設けられ、作業部１ｃの先端を分断して差込み部となる底壁１３ｃおよび斜壁１４ｃを形成している。また前記スリット１２ｃの両側縁には保持手段８として係止突起８２ｃ・８２ｃが複数の位置に対向して凸設されている。
【００３９】
小袋体６ｃは、横長な矩形を中央で折り返して側縁を形成し、重ね合わせた反対側の側縁および底縁を貼着することによって上方に開口部６９を有する袋体となっており、さらにこれの内側に底縁の略中央から開口部６９に向かってスリット１２ｃに対応する長さ分だけの中仕切６１ｃを貼設することによって小袋体６ｃの収納部を分割する２つの副収納部６２ｃ・６３ｃを形成している。
【００４０】
この小袋体６ｃを作業部１ｃに装着するには、まずどちらか一方の副収納部、例えば６１ｃに、これに対応するアーム１側差込み部、ここでは底壁１３ｃを差し込み、次いで中仕切６１ｃの部分で折れ曲がらせて他方側すなわち６３ｃに側壁１４ｃを差し込む。小袋体６ｃは中仕切６１ｃの部分が貼着されているために袋中央で折り曲げたとしても隙間ができることなく逆へ字形状に屈曲する作業部１ｃに密接して装着され、該作業部１ｃを保護する。
【００４１】
スリット１２ｃの両側縁に凸設された係止突起８２ｃ・８２ｃは、小袋体６ｃが装着されたときに中仕切６１ｃを両側から挟持し、外れないように保持する役割をもっている。
【００４２】
なお作業部１ｃの底壁１３ｃおよび側壁１４ｃの先端縁は面一である必要はなく、一方の突出長を変えることによって差し込み開始位置をずらしておけば、小袋体６ｃへの差し込みがより簡単になる。また、逆に小袋体６ｃ側の開口縁の位置を副収納部６２ｃ・６３ｃでずらした場合にも同様に差し込み作業が簡単となる。
【００４３】
また、ここでは小袋体の保持手段を作業部側に設けた突起で挟持するものとしたが、これに限らず小袋体側に設けたものであってもよい。例えば開口縁に閉じる方向への弾性復元力を与え、保持手段としたものなどである。
【００４４】
かかる本実施例の汚物回収具は、掬いとることに適する形態をしているために固形の大きな排泄物だけでなく、小さな塊となった排泄物や柔らかな排泄物への使用にも適する。
【符号の説明】
【００４５】
１    アーム
２    軸
３    板バネ
４    押出し部材
５    スライダ
６    小袋体
８    保持手段
９    ロック手段
【要約】
【課題】本体や手を汚すことなく簡単かつ確実に汚物を回収することのできる汚物回収具を提供する。
【解決手段】先端に作業部１ａ・１ａを具える一対のアーム１・１の基端部を開閉自在に連結するとともに前記一対のアーム１・１を開方向に付勢する付勢手段３を有する汚物回収具において、前記作業部１ａ・１ａそれぞれに脱着自在に装着される小袋体６・６と、この小袋体６・６を前記作業部１ａ・１ａに装着した状態を保持する保持手段８とを具えるとともに、アーム１・１の長手方向に沿って前後方向に褶動自在であり前方に褶動したときには前記作業部１ａ・１ａに装着された前記小袋体６・６を押出して離脱させる押出し部材４・４を具える。押出し部材４・４はアーム１・１内部に長手方向に沿って設けた収納空間に褶動自在に収納する。
【選択図】図１【図１】
0004768872.tif 000002
【図２】
0004768872.tif 000003
【図３】
0004768872.tif 000004
【図４】
0004768872.tif 000005
【図５】
0004768872.tif 000006
【図６】
0004768872.tif 000007
【図７】
0004768872.tif 000008
【図８】
0004768872.tif 000009